【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスチャネルを介してコードワードを受信するステップであって、前記コードワードがポーラ符号を使用して符号化されている、ステップと、
符号化情報ビットベクトルの情報ビットに対応する、前記ポーラ符号のビット位置のセットを識別するステップであって、前記ビット位置のセットが、前記ポーラ符号の前記ビット位置の信頼性順位に少なくとも部分的に基づいて決定され、前記信頼性順位が、前記ポーラ符号の複数の分極ステージのうちの各分極ステージにおいて適用される少なくとも1つの相互情報量伝達関数を含む再帰的モデルに少なくとも部分的に基づいて決定される、ステップと、
前記ビット位置のセットにおける前記情報ビットベクトルを取得するために前記受信コードワードを復号するステップと
を備える方法。
【請求項２】
前記複数の分極ステージのうちの先行する分極ステージからの前記ビット位置の第2のサブセットの相互情報量に少なくとも部分的に基づいて、前記複数の分極ステージのうちの現在の分極ステージに対する前記ビット位置の第1のサブセットの相互情報量を計算するステップ
をさらに備える、請求項1に記載の方法。
【請求項３】
前記ポーラ符号の前記ビット位置の前記信頼性順位が、前記再帰的モデルおよび複数の異なるターゲット相互情報量値に少なくとも部分的に基づいて構築される、請求項1に記載の方法。
【請求項４】
前記ポーラ符号の前記ビット位置の各々に対してそれぞれの出力相互情報量値曲線の少なくとも部分を決定するために前記複数の異なるターゲット相互情報量値にわたる掃引を実行するステップと、
前記複数の異なるターゲット相互情報量値に対する規定された出力相互情報量値に前記それぞれの出力相互情報量値曲線の各々が到達する順位に対応する、前記ポーラ符号の前記ビット位置の前記信頼性順位を決定するステップと
をさらに備える、請求項3に記載の方法。
【請求項５】
前記ビット位置のセットの第1のサブセットが、第1のターゲット相互情報量値のために前記再帰的モデルを適用することから決定された第1の信頼性順位に少なくとも部分的に基づいて決定され、前記ビット位置のセットの第2のサブセットが、第2のターゲット相互情報量値のために前記再帰的モデルを適用することから決定された第2の信頼性順位に少なくとも部分的に基づいて決定され、前記第1のターゲット相互情報量値が、符号化されるべき情報ビットの第1の個数、および前記ビット位置の個数に少なくとも部分的に基づき、前記第2のターゲット相互情報量値が、符号化されるべき情報ビットの第2の個数、および前記ビット位置の前記個数に少なくとも部分的に基づく、請求項3に記載の方法。
【請求項６】
前記ビット位置の第1のビット位置が、パンクチャドビットに対応し、
第1の分極ステージにおける前記第1のビット位置の相互情報量が、前記少なくとも1つの相互情報量伝達関数、および前記パンクチャドビットに関連する相互情報量に少なくとも部分的に基づいて計算されるとともに、前記パンクチャドビットに関連する前記相互情報量が、非短縮化ベースのパンクチャリングに対してゼロに設定され、または短縮化ベースのパンクチャリングに対して単位元値に設定される、または、
前記パンクチャドビット以外のビット位置に対応するビットチャネルに対するターゲット相互情報量が、符号化されるべき情報ビットの個数、および前記パンクチャドビットに関連するビットチャネルを除いた前記ビット位置の個数に少なくとも部分的に基づいて決定される、請求項1に記載の方法。
【請求項７】
前記少なくとも1つの相互情報量伝達関数が、2元消失通信路(BEC)関数および補正項に少なくとも部分的に基づき、前記補正項が、前記各分極ステージのビットチャネル容量、および容量不均衡係数に少なくとも部分的に基づき、前記補正項が、前記ビットチャネル容量に適用されるオフセット係数を備え、前記補正項が、オフセットされた前記ビットチャネル容量に適用されるスケーリング係数を備え、前記補正項が、スケーリングかつオフセットされた前記ビットチャネル容量に適用されるオフセットを備える、請求項1に記載の方法。
【請求項８】
前記コードワードが、前記ポーラ符号のビット位置の少なくとも1つの反復ビットを備え、前記ポーラ符号のビットチャネルに対するターゲット相互情報量が、前記反復ビット位置を含む前記コードワードの中の、符号化されるべき情報ビットの個数、およびビット位置の個数に少なくとも部分的に基づいて決定され、前記ビットチャネルに対する前記ターゲット相互情報量にオフセットが適用される、請求項1に記載の方法。
【請求項９】
前記再帰的モデルが、ガウス近似密度ベース発展モデルであり、前記ポーラ符号の前記ビット位置の前記信頼性順位が、前記ガウス近似密度ベース発展モデル、および複数の異なるターゲット信号対雑音比(SNR)値に少なくとも部分的に基づいて構築され、
前記方法が、
前記ポーラ符号の前記ビット位置の各々に対してそれぞれの誤り率値曲線の少なくとも部分を決定するために前記複数の異なるターゲットSNR値にわたる掃引を実行するステップと、
前記複数の異なるターゲットSNR値に対する規定された誤り率値に前記それぞれの誤り率値曲線の各々が到達する順位に対応する、前記ポーラ符号の前記ビット位置の前記信頼性順位を決定するステップとをさらに備える、請求項1に記載の方法。
【請求項１０】
ワイヤレス通信のための方法であって、
ポーラ符号を使用して符号化するための情報ビットベクトルを識別するステップと、
前記情報ビットベクトルの情報ビットのために使用されるべき、前記ポーラ符号のビット位置のセットを識別するステップであって、前記ビット位置のセットが、前記ポーラ符号の前記ビット位置の信頼性順位に少なくとも部分的に基づいて決定され、前記信頼性順位が、前記ポーラ符号の複数の分極ステージのうちの各分極ステージにおいて適用される少なくとも1つの相互情報量伝達関数を含む再帰的モデルに少なくとも部分的に基づいて決定される、ステップと、
コードワードを取得するために、前記ビット位置のセットにマッピングされた前記情報ビットベクトルを、前記ポーラ符号を使用して符号化するステップと、
ワイヤレスチャネルを介して前記コードワードを送信するステップと
を備える方法。
【請求項１１】
前記複数の分極ステージのうちの先行する分極ステージからのビット位置の第2のサブセットの相互情報量に少なくとも部分的に基づいて、前記複数の分極ステージのうちの現在の分極ステージに対する前記ビット位置の第1のサブセットの相互情報量を計算するステップ
をさらに備える、請求項10に記載の方法。
【請求項１２】
前記ポーラ符号の前記ビット位置の前記信頼性順位が、前記再帰的モデルおよび複数の異なるターゲット相互情報量値に少なくとも部分的に基づいて構築される、請求項10に記載の方法。
【請求項１３】
ワイヤレス通信のための装置であって、
ワイヤレスチャネルを介してコードワードを受信するための手段であって、前記コードワードがポーラ符号を使用して符号化されている、手段と、
符号化情報ビットベクトルの情報ビットに対応する、前記ポーラ符号のビット位置のセットを識別するための手段であって、前記ビット位置のセットが、前記ポーラ符号の前記ビット位置の信頼性順位に少なくとも部分的に基づいて決定され、前記信頼性順位が、前記ポーラ符号の複数の分極ステージのうちの各分極ステージにおいて適用される少なくとも1つの伝達関数を含む再帰的モデルに少なくとも部分的に基づいて決定される、手段と、
前記ビット位置のセットにおける前記情報ビットベクトルを取得するために前記受信コードワードを復号するための手段と
を備える装置。
【請求項１４】
ワイヤレス通信のための装置であって、
ポーラ符号を使用して符号化するための情報ビットベクトルを識別するための手段と、
前記情報ビットベクトルの情報ビットのために使用されるべき、前記ポーラ符号のビット位置のセットを識別するための手段であって、前記ビット位置のセットが、前記ポーラ符号の前記ビット位置の信頼性順位に少なくとも部分的に基づいて決定され、前記信頼性順位が、前記ポーラ符号の複数の分極ステージのうちの各分極ステージにおいて適用される少なくとも1つの伝達関数を含む再帰的モデルに少なくとも部分的に基づいて決定される、手段と、
コードワードを取得するために、前記ビット位置のセットにマッピングされた前記情報ビットベクトルを、前記ポーラ符号を使用して符号化するための手段と、
ワイヤレスチャネルを介して前記コードワードを送信するための手段と
を備える装置。
【請求項１５】
ワイヤレス通信のためのコードを記憶するコンピュータ可読記憶媒体であって、前記コードが、プロセッサによって、請求項1から12のいずれか一項に記載の方法を行うように実行可能な命令を備える、コンピュータ可読記憶媒体。